(57)【要約】【課題】騒音を抑えつつ排風の効率を上げるべく、天井ファンの構造を提供する。【解決手段】ファン３と、該ファン３を駆動する駆動装置４と、該ファン３の軸方向に平行して天井に取り付ける個所となる側壁５２を具有する集風枠５とより構成し、モータ４２を該ファン３の軸方向と同方向で該ファン３に連結し、幅が広くて該駆動装置４を覆い囲むように設計された軸流部５２１を設け、更に該軸流部５２１より幅が狭く該ファン３を覆い囲うように設計された排風部５２２を設け、該軸流部５２１で提供する進風量が該排風部５２２に充分な風量を提供することで、排気をスムーズにする。【選択図】　　　　図２
0003097817.tif 000002
【実用新案登録請求の範囲】
【請求項１】
主に駆動装置と、集風枠と、排風部とより構成される天井ファンの構造において、
動力を提供するモータを具有し、ファンを駆動させる駆動装置と、
該ファンを取り囲むように設置されて風室を形成して天井に固定される個所を提供している側壁と、幅が広く該駆動装置を囲む軸流部とを具有する集風枠と、
幅が該軸流部より狭く、該ファンを取り囲む排風部とを具有し、
該軸流部が取り込む充分な風量により、該排風部の排風量が充分に満たされていることを特徴とする天井ファンの構造。
【請求項２】
該軸流部の横幅の面積から該軸流部内に設置されている該駆動装置の横幅の面積を引いた値は、該排風部の横幅の面積より大きいことを特徴とする請求項１記載の天井ファンの構造。
【請求項３】
該駆動装置には、該側壁の該軸流部内にてファンと平行に固定された支えを具有し、該支えによってモータが架設されていることを特徴とする請求項１記載の天井ファンの構造。
【請求項４】
該ファンには更に、多数の羽が設置された軸座が設けられており、該軸座の軸方向に沿って、下方に向かって延伸する回転軸が設けられており、
該駆動装置には更に、該支え上に固定され、且つ該回転軸を穿設及び枢設する軸座、並びに二つのベルト軸とベルトとが設けられており、
該モータには更に、該集風枠側壁付近にて該支え上に固定される本体、並びに軸方向に沿って上方に延伸する中心軸を具有し、
該ベルト軸がそれぞれ該ファン回転軸とモータ中心軸上に設置され、該ベルトが二つのベルト軸に掛けられることで、該モータが該ファンを連動して回転させることを特徴とする請求項２記載の天井ファンの構造。
【考案の詳細な説明】
【０００１】
【考案の属する技術分野】
本考案は天井取り付けタイプのファンの構造に係り、特に排風効率を上げると同時に騒音を極力抑えた天井取り付け型のファンに関わる。
【０００２】
【従来の技術】
図１に示すように、一般の工場用の天井取り付け型ファン１には、主に軸流管１１，該軸流管１１上方に架設されている雨よけカバー１２，該軸流管１１内部に収容されているファン１３，並びに該軸流管１１内に収容されて該ファン１３を駆動させるモータ１４から構成されている。該軸流管１１には下端付近に設けられた進風口１１１と、上端付近に設けられた出風口を具有する。
該モータ１４が駆動して該ファン１３を回転させるとき、該ファン１３によって上昇力が生まれ、空気が該進風口１１１から該ファン１３の軸方向に沿った気流が発生し、該気流は該出風口１１２から外の空気中に放たれる。こうして工場内の空気を外に排出する役割が果たされている。
【０００３】
【考案が解決しようとする課題】
しかし上述のような天井ファンには、以下のような欠点がある。
先ず最も理想的な空気の流れとしては、該進風口と出風口に進入する速度が等しいものであるが、公知の構造では該モータが気流を阻害して、気流の速度に変化をきたしてしまう。
【０００４】
詳細に言えば、図１に示すように、該ファン１３上方は清浄な空気であり、排風時には気流が完全に該出風口１１２より排出されるが、逆に風が入り込むことにおいては、気流が該ファン１３の作用によって上昇気流を形成した際、下方に設けられた該モータ１４の影響を受け、気流の速度に変化が生じ、こうすることで空気の進出の速度と進入の速度とに差が生まれ、排風効率が下がってしまっている。つまり該進風口１１１の横幅面積と該モータ１４の横幅面積の差により、該出風口１１２が排出する排風量は、該進風口１１１の実際に入り込む風量より多いことになり、効率が悪い、ということになる。
しかし、モータのパワーを上げればファンの回転速度も上がり、排風量を増やすことはできるが、これを駆動するのに必要な電力が増し、モータにかかる負荷も大きい、更には騒音が大きくなる、といった欠点が出てくる。
そこでこれらの欠点に鑑み、騒音を抑えつつ排風の効率を上げるべく、本考案の天井ファンの構造を提供する。
【０００５】
【課題を解決するための手段】
ファンと、該ファンを駆動する駆動装置と、該ファンの軸方向に平行して天井に取り付ける個所となる側壁を具有する集風枠とより構成し、モータを該ファンの軸方向と同方向で該ファンに連結し、幅が広くて該駆動装置を覆い囲むように設計された軸流部を設け、更に該軸流部より幅が狭く該ファンを覆い囲うように設計された排風部を設け、該軸流部で提供する進風量が該排風部に充分な風量を提供することで、排気をスムーズにする。
すなわち、本考案の天井ファンの構造は、以下の特徴を有する。
１．主に駆動装置と、集風枠と、排風部とより構成される天井ファンの構造において、
動力を提供するモータを具有し、ファンを駆動させる駆動装置と、
該ファンを取り囲むように設置されて風室を形成して天井に固定される個所を提供している側壁と、幅が広く該駆動装置を囲む軸流部とを具有する集風枠と、
幅が該軸流部より狭く、該ファンを取り囲む排風部とを具有し、
該軸流部が取り込む充分な風量により、該排風部の排風量が充分に満たされていることを特徴とする。
２．該軸流部の横幅の面積から該軸流部内に設置されている該駆動装置の横幅の面積を引いた値は、該排風部の横幅の面積より大きいことを特徴とする。
３．該駆動装置には、該側壁の該軸流部内にてファンと平行に固定された支えを具有し、該支えによってモータが架設されていることを特徴とする。
４．該ファンには更に、多数の羽が設置された軸座が設けられており、該軸座の軸方向に沿って、下方に向かって延伸する回転軸が設けられており、
該駆動装置には更に、該支え上に固定され、且つ該回転軸を穿設及び枢設する軸座、並びに二つのベルト軸とベルトとが設けられており、
該モータには更に、該集風枠側壁付近にて該支え上に固定される本体、並びに軸方向に沿って上方に延伸する中心軸を具有し、
該ベルト軸がそれぞれ該ファン回転軸とモータ中心軸上に設置され、該ベルトが二つのベルト軸に掛けられることで、該モータが該ファンを連動して回転させることを特徴とする。
【０００６】
【考案の実施の形態】
図２に示すように、本考案の天井ファンにおける第一の実施例は、ファン３，駆動装置４，集風枠５及び雨よけカバー６から構成される。
該ファン３は、軸座３１及び該軸座３１に環状に設けられた多数の羽３２より構成される。
【０００７】
該駆動装置４においては、支え４１及びモータ４２より構成される。該支え４１は縦向きに延伸している。該モータ４２には該支え４１上に固定された本体４２１及び該軸座３１の軸方向に上向きに延伸して、該ファン３の軸座３１と固定されている中心軸４２２が固定されている。該集風枠５には該軸方向と導方向で該ファン３を囲んで風室５１を形成している側壁５２が設けられている。該風室５１はファン３と駆動装置４を内部に収容し、該支え４１を側壁５２と固定している。該側壁５２は天井（図中なし）に設置され、直径が大きく、該モータ４２を取り囲む軸流部５２１，該軸流部５２１より直径が小さく該ファン３の排風部５２２を取り囲む５２２、並びに該軸流部５２１と排風部５２２を連結する角５２３を具有する。
該軸流部５２１の横幅の面積Ａ２と、モータ４２の横幅面積Ａ３の差は、該排風部５２２の横幅面積Ａ１（Ａ２−Ａ３＞Ａ１）であり、該角５２３は気流を導引してスムーズに上に向かって流動させる役割を担っている。
該雨よけカバー６においては、該集風枠５上方に設けられており、該集風枠５内に雨水などが入り込むのを防止している。
【０００８】
該モータ４２の中心軸４２２が回転してファン３を連動させるとき、該羽３２は回転の過程において上昇力を発生させ、工場内の空気を該集風枠５内に集める気流を発生させる。
このとき、該軸流部５２１の横幅面積Ａ２と、モータ４２の横幅面積Ａ３の差は、該排風部５２２の横幅面積Ａ１より大きく（Ａ２−Ａ３＞Ａ１）、よって大量の気流が該軸流部５２１に流れ込むとき、空気を充分に排風部５２２に供給し、該排風部５２２の排風量が制限を受けない状況の下、最大の排風効率が発揮され、同時に騒音を最低限に抑えている。
【０００９】
図３，４に示すように、本考案の第二の実施例において説明する。先ず本考案の第一の実施例と異なる点として、該段３には更に軸座３１から軸方向に沿って下方に延伸する回転軸３３が設けられていることである。
また該駆動装置４には更に、該支え４１上に固定されて該回転軸３３が穿設及び枢設される軸座４３、並びに二つのベルト軸及びベルト４５を設けている。
該モータ４２においては、モータ本体により該支え４１上に固定され、該集風枠５の側壁５２付近に固定されている。該ベルト軸４４はそれぞれ該ファン３の回転軸３３及びモータ４２の中心軸４２２上に設置されている。該ベルト４５は、該二つのベルト軸４４上に掛けられており、該モータ４２がファン３３を連動して回転させている。また該軸流部５２１の横幅面積Ａ２より、モータ４２の横幅面積Ａ３と軸座４４の横幅面積Ａ４を引いた値は、該排風部５２２の横幅面積Ａ１より大きい（Ａ２−Ａ３−Ａ４＞Ａ１）。
【００１０】
作動時には、該モータ４２は該中心軸４２２が回転しているとき、該ベルト軸４４及びベルト４５が伝導する力により、該ファン３が回転する。このとき、該軸流部５２１の横幅面積Ａ２からモータ４２の横幅面積Ａ３と該軸座４４の横幅面積Ａ４を引いた差は、該排風部５２２の横幅面積Ａ１より大きい（Ａ２−Ａ３−Ａ４＞Ａ１）。よって該集風枠５内に進入する風の量は、充分に該排風部５２２の排風量を満たし、該排風部５２２の排風量が制限を受けないことより、排風効率を最大限にまで発揮できるようになり、同時に気流の伝わるルートが阻止されず、騒音がごく僅かに抑えられている。
つまり、該軸流部５２１の供給する進風量が該排風部５２２の排風量を充分に満たし、該排風部５２２の排風量が制限を受けないことから、最大限の排風効果を発揮し排気される気流をスムーズに流出させる他、排風量が大幅に増大されることから、騒音が最も少なく、且つパワーの小さなモータにより比較的低速で回転するファンであっても、相当な排風量が提供されるため、電気代の節約につながる。
【００１１】
【考案の効果】
本考案によると、騒音がごく僅かに抑えられており、且つ低いコストで排風効率の高い天井ファンを提供することに成功した。
【図面の簡単な説明】
【図１】公知における断面図であり、一般の天井取り付けタイプのファンの構造を示す図である。
【図２】本考案における第一の実施例を示す断面図である。
【図３】本考案における第二の実施例を示す断面図である。
【図４】本考案の仰視図であり、第二の実施例中のファンとそのカバーの固定状態を示す図である。
【符号の説明】
３　ファン
３１　中心部
３２　羽
３３　回転軸
４　駆動装置
４１　支え
４２　モータ
４２１　本体
４２２　中心軸
４３　軸座
４４　ベルト軸
４５　ベルト
５　集風枠
５１　風室
５２　側壁
５２１　軸流部
５２２　排風部
５２３　角
６　雨よけカバー
【図１】
0003097817.tif 000003
【図２】
0003097817.tif 000004
【図３】
0003097817.tif 000005
【図４】
0003097817.tif 000006
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
ファンと、該ファンを駆動する駆動装置と、該ファンの軸方向に平行して天井に取り付ける個所となる側壁を具有する集風枠とより構成し、モータを該ファンの軸方向と同方向で該ファンに連結し、幅が広くて該駆動装置を覆い囲むように設計された軸流部を設け、更に該軸流部より幅が狭く該ファンを覆い囲うように設計された排風部を設け、該軸流部で提供する進風量が該排風部に充分な風量を提供することを特徴とする天井ファンの構造。
【請求項２】
該軸流部の横幅の面積から該軸流部内に設置されている該駆動装置の横幅の面積を引いた値は、該排風部の横幅の面積より大きいことを特徴とする請求項１記載の天井ファンの構造。
【請求項３】
該駆動装置には、該側壁の該軸流部内にてファンと平行に固定された支えを具有し、該支えによってモータが架設されていることを特徴とする請求項１記載の天井ファンの構造。
【請求項４】
該ファンには更に、多数の羽が設置された軸座が設けられており、該軸座の軸方向に沿って、下方に向かって延伸する回転軸が設けられており、
該駆動装置には更に、該支え上に固定され、且つ該回転軸を穿設及び枢設する軸座、並びに二つのベルト軸とベルトとが設けられており、
該モータには更に、該集風枠側壁付近にて該支え上に固定される本体、並びに軸方向に沿って上方に延伸する中心軸を具有し、
該ベルト軸がそれぞれ該ファン回転軸とモータ中心軸上に設置され、該ベルトが二つのベルト軸に掛けられることで、該モータが該ファンを連動して回転させることを特徴とする請求項２記載の天井ファンの構造。